(57)【特許請求の範囲】
【請求項１】
ドアハーネスおよび該ドアハーネスに接続するドア用電装機器を予め固定して取り付けているモジュールパネルを設け、該モジュールパネルをドアフレームの室内側開口を閉鎖するようにドアフレームに取り付け、該ドアハーネスの先端に取り付けたグロメットをドアフレームの室内側開口と直交する端面に穿設した貫通孔に装着して車体パネル側へと引き出すドアモジュールパネルの取付方法であって、
上記ドアハーネスの先端側はモジュールパネルの下方に設けた穴を通して裏面側へと引き出しており、
上記モジュールパネルをドアフレームの上記端面の外方に平行配置して、該モジュールパネルの裏面側に引き出しているドアハーネスの先端側をＵ形状に屈曲させてドアフレームの室内側開口より貫通孔に通してグロメットを装着し、
その後、モジュールパネルをドアフレームの室内側内面へと向きを変えて傾斜させ、この状態でドアハーネスのドアフレーム側の余長部分を固定し、
ついで、ドアモジュールパネルをドアフレームの室内側開口を閉鎖するように配置して、ドアフレームに固定しているドアモジュールパネルの取付方法。
【発明の詳細な説明】
【０００１】
【発明の属する技術分野】
本発明はドアモジュールパネルの取付方法に関し、詳しくは、ドアハーネスおよび該ドアハーネスに接続されるドア用電装品を予め取り付けたドアモジュールパネルを、該ドアモジュールパネルをドアフレームに取り付けるものである。
【０００２】
【従来の技術】
従来、ドア内部へのドアハーネスの配索および該ドアハーネスと接続されるドア用電装品のドアフレームへの取付作業は非常に手数のかかるものとなっている。そのため、図３に示すように、ドアハーネス２と該ドアハーネス２に接続される電装品３とを予め取り付けたドアモジュールパネル５を設ける一方、ドアフレーム６の室内側を略外周枠として大きな開口６ａを設け、該開口６ａを閉鎖するようにドアモジュールパネル５を固定する構造が提供されている。
【０００３】
上記ドアモジュールパネル５に予め取り付けたドアハーネス２は、車体（図示せず）とヒンジ接続されるドアフレーム６の端面６ｂより車体側に引き出して、車体側に配索されているワイヤハーネスと接続させる必要がある。
そのため、ドアモジュールパネル５の下方、即ち、ドアウインドガラスが下降しても干渉しない下方位置に穴５ａを設け、該穴５ａを通して表面側に配索固定しているドアハーネス２の一側部２ａをドアモジュールパネル５の裏面側に引き出し、該ドアハーネスの一側部２ａの先端をドアフレーム端面６ｂに穿設している貫通孔６ｃに通し、該ドアハーネスに取り付けているグロメット７を貫通孔６ａに嵌着している。
【０００４】
詳細には、図４に示すように、ドアモジュールパネル５をドアフレーム６の開口６ａ側に配置し、裏面側に引き出されているドアハーネス２の一側部２ａを開口６ａを通して貫通孔７へと回り込ませて挿通させ、グロメット７を貫通孔６ｃに装着している。その後、ドアモジュールパネル５を開口６ａを閉鎖するようにセットし、ドアモジュールパネル５の周縁をドアフレーム５にボルト等を用いて固定している。
【０００５】
上記のようにドアハーネス２および該ドアハーネスに接続した電装品３を取り付けたドアモジュールパネル５を設けておくと、該ドアモジュールパネル５をドアフレーム６に固定すると、ドアハーネス２および電装品３をドアフレームに固定する作業が不要となり、作業手数の大幅な改善を図ることができる。
【０００６】
【発明が解決しようとする課題】
しかしながら、ドアモジュールパネル５を用いた場合も、ドアハーネス先端に取り付けたグロメットをドアフレームの貫通孔６ｃに通して装着する作業は必要となる。其の際、ドアフレームの開口側にドアモジュールパネル５をセットし、その隙間から作業員は手を伸ばして貫通孔へのドアハーネス２の挿通およびグロメット７の装着を行わなければなず、作業性が非常に悪くなる。
【０００７】
また、ドアモジュールパネル５の裏面側に引き出しているドアハーネスの一側部には余長部分２ｂを設けているため、この余長部分がドアウインドガラスの下方時に干渉しないようにインパクトバーのブラケット（図示せず）に保持する必要がある。この作業は、ドアハーネス２の先端グロメット７を貫通孔６ｃに装着した後、ドアモジュールパネルをドアフレームに取り付ける前に行わなければならず、ドアモジュールパネル５の裏面側での作業となり、容易に行えない問題がある。
【０００８】
ドアフレームへのドアハーネスの貫通作業をなくすため、ドアハーネスの端面にグロメット取り出し位置から室内側にかけて凹部を設け、該凹部に室内側からドアハーネスを通した後、グロメットで凹部を閉鎖する構成のものも提案されている。
しかしながら、上記構成とすると、グロメットの構造が非常に複雑となり、部分点数も多くなってコストがかかると共に、グロメットの組みつけ作業工程も増える問題がある。かつ、ウエザーストリップの装着ラインにドアハーネスの配索経路が横断するため、止水性の点でも問題が生じる。
【０００９】
本発明は上記問題に鑑みてなされたもので、ドアモジュールパネルを用いると共に、ドアハーネスの取付作業性を改善することを課題としている。
【００１０】
【課題を解決するための手段】
上記課題を解決するため、本発明は、ドアハーネスおよび該ドアハーネスに接続するドア用電装機器を予め固定して取り付けているモジュールパネルを設け、該モジュールパネルをドアフレームの室内側開口を閉鎖するようにドアフレームに取り付け、該ドアハーネスの先端に取り付けたグロメットをドアフレームの室内側開口と直交する端面に穿設した貫通孔に装着して車体パネル側へと引き出すドアモジュールパネルの取付方法であって、
上記ドアハーネスの先端側はモジュールパネルの下方に設けた穴を通して裏面側へと引き出しており、
上記モジュールパネルをドアフレームの上記端面の外方に平行配置して、該モジュールパネルの裏面側に引き出しているドアハーネスの先端側をＵ形状に屈曲させてドアフレームの室内側開口より貫通孔に通してグロメットを装着し、
その後、モジュールパネルをドアフレームの室内側内面へと向きを変えて傾斜させ、この状態でドアハーネスのドアフレーム側の余長部分を固定し、
ついで、ドアモジュールパネルをドアフレームの室内側開口を閉鎖するように配置して、ドアフレームに固定しているドアモジュールパネルの取付方法を提供している。
【００１１】
上記した方法によれば、ドアモジュールパネルに取り付けたドアハーネスの先端のグロメットをドアフレームの貫通孔に通す作業時には、ドアモジュールパネルをドアフレームの端面側に平行配置し、作業側のドアフレームの室内側開口の前面にドアモジュールパネルを配置していないため、作業員は貫通孔にグロメットを通す作業を容易に行うことができる。また、ドアモジュールパネルをドアフレームの端面に近接配置し、ドアモジュールパネルの穴をから裏面側に引き出されてドアフレームの貫通孔に通すまでの距離を短く出来るため、ドアハーネスに余長部分を最小限とすることができる。
【００１２】
また、上記ドアハーネスのグロメットをドアハーネスの貫通孔に通して装着した後、ドアモジュールパネルを室内側へと傾斜させて、ドアモジュールパネルとドアハーネスとの隙間を大きく開いた状態で、ドアモジュールパネル裏面側の余長部分をドアハーネス側にクランプで固定できるため、この作業性も改善することができる。
【００１３】
【発明の実施の形態】
以下、本発明の実施形態を図面を参照して説明する。
前記従来例の図３と同様に、ドアモジュールパネル５の室内側表面にドアハーネス２を予めクリップを介して固定している。ドアモジュールパネル５の端面側部分５ｂの下部に穴５ａを穿設しており、該穴５ａを通してドアハーネス２を裏面側に引き出している。この裏面側に引き出したドアハーネスの先端にはグロメット７を取り付けている。
【００１４】
ドアフレーム６も前記図３と同様で、室内側の開口６ａと直交する端面６ｂに貫通孔６ｃを設け、該貫通孔６ｃに上記ドアハーネス２のグロメット７を装着するようにしている。
【００１５】
上記ドアモジュールパネル５をドアフレーム６に取り付けるには、図２（Ａ）に示すように、モジュールパネル５をドアフレーム６の端面６ｂの外方に、端面側部分５ｂが重なるように、かつ、近接させて平行配置する。即ち、従来は開口６ａの前方に配置するため、従来とは直角方向に配置する。
【００１６】
モジュールパネル５の裏面側に引き出しているドアハーネス２の一側部２ａをＵ形状に屈曲させてドアフレーム６の室内側開口６ａより貫通孔６ｃにグロメット７を通して装着する。この作業時、作業員が手を入れて貫通作業を行うドアハーネス開口６ａの前面にはドアモジュールパネル５が位置しないため、作業員の容易に上記貫通作業を行うことができる。
【００１７】
その後、図２（Ｂ）に示すように、ドアモジュールパネル５をドアフレーム室内側内面へと傾斜させた位置に移し、ドアハーネス貫通作業側と反対の後方側はドアモジュールパネル５とドアフレーム６との間に大きな作業空間Ｓをあける。
この状態で、ドアモジュールパネル５の裏面側のドアハーネス余長部分２ｂをドアフレームの下部にクランプ１８を介して固定する。この作業も上記作業空間Ｓが存在することにより、作業性良く行うことができる。
【００１８】
最後に、図２（Ｃ）に示すように、ドアモジュールパネル５を図２（Ａ）の位置より直交方向に向きを変えて開口６ａを閉鎖するようにセットし、ドアモジュールパネル５の外周部をドアフレームにボルトで固定する。
【００１９】
【発明の効果】
以上の説明より明らかなように、本発明の方法によれば、ドアモジュールパネルのドアフレームに対する配置位置を変えていくことにより、ドアハーネスの余長部分を長くすることなく、作業性良くドアハーネスをドアハーネスの貫通孔に貫通してグロメットを装着できると共に、ドアハーネスの余長部分をドアフレームに作業性良く固定することができる。
【００２０】
また、ドアフレーム側には貫通孔を設けておくだけでよく、該貫通孔に装着するグロメットとして汎用されているタイプのものを使用できる。よって、ドアフレームに室内側へ達する凹部を設け、貫通孔を通さずにドアハーネスを配索する構造に使用するグロメットと比較して、コストアップすることがなく、ドアフレーム側の形状も単純となり、ウエザーストリップの取付ラインにドアハーネス挿通経路がないため止水性の点でも問題が生じない利点がある。
【図面の簡単な説明】
【図１】  本発明の実施形態の正面図である。
【図２】  （Ａ）（Ｂ）（Ｃ）はドアモジュールパネルのドアフレームへの取付工程を示す概略平面図である。
【図３】  従来例の斜視図である。
【図４】  図３の従来例のグロメットの貫通作業工程を示す斜視図である。
【符号の説明】
２  ドアハーネス
２ｂ  余長部分
５  ドアモジュールパネル
５ａ  穴
６  ドアフレーム
６ａ  開口
６ｂ  端面
６ｃ  貫通孔
７  グロメット
【図１】
0004228546.tif 000002
【図２】
0004228546.tif 000003
【図３】
0004228546.tif 000004
【図４】
0004228546.tif 000005